【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  電子部品を含む電子回路が形成された制御基板と、
前記制御基板を内部に収納し、外部接続用のコネクタを備えた収納ケースと、
前記制御基板を支持する複数の支持部が底面開口の周囲に立設された枠状嵌合部と、外部取付け部とを一体的に設けた金属製の取付け台と、
前記底面開口に嵌め込まれ、前記電子回路に電気接続される大電流制御素子を含む駆動回路が形成され、下面を露出させた基板と、
を有する電子制御装置。
【請求項２】  前記基板が前記底面開口に嵌め込まれたとき、前記取付け部と、前記枠状嵌合部と、前記基板の前記下面とが同一平面となる取付け面を形成することを特徴とする請求項１に記載の電子制御装置。
【請求項３】  前記取付け台が、前記外部取付け部によって外部吸熱体に取り付けられ、前記取付け面が該外部吸熱体表面に接触することを特徴とする請求項２に記載の電子制御装置。
【請求項４】  前記制御基板は、耐熱樹脂基板であり、前記支持部によって前記基板との間に空間が形成されていることを特徴とする請求項１乃至３のいずれか一項に記載の電子制御装置。
【請求項５】  前記電子部品は、前記制御基板の下面に接続されていることを特徴とする請求項４に記載の電子制御装置。
【請求項６】  前記電子部品の熱を前記取付け台に放熱する放熱部が、前記空間内に設けられることを特徴とする請求項５に記載の電子制御装置。
【請求項７】  前記放熱部は、金属製板で形成され、
前記金属製板は、前記支持部に支持され、前記電子部品に接触していることを特徴とする請求項６に記載の電子制御装置。
【請求項８】  前記放熱部は、前記空間内に配設された帯状伝熱部を有し、
前記帯状伝熱部は、前記枠状嵌合部に一体的に連続形成され、前記電子部品に接触することを特徴とする請求項６に記載の電子制御装置。
【請求項９】  前記電子部品と前記帯状伝熱部との間に、熱伝導性、かつ、弾性の接着層を介在させたことを特徴とする請求項８に記載の電子制御装置。
【請求項１０】  前記帯状伝熱部は、前記電子部品を収納できる凹部を有し、
前記凹部内には、熱伝導性ゲル材料が充填されることを特徴とする請求項８に記載の電子制御装置。
【請求項１１】  前記コネクタから延びる複数のリード導体の端部及び前記基板から延びる複数のリード導体の端部が、前記制御基板に配設されたリード導体孔を介して前記基板と反対側面に突出し、前記制御基板に形成された前記電子回路に接続されることを特徴とする請求項４乃至１０のいずれか一項に記載の電子制御装置。
【請求項１２】  前記駆動回路に接続されたソケット又はプラグが前記基板上面に配設され、前記制御基板下面に前記ソケット又はプラグと係合して前記電子回路に電気接続するプラグ又はソケットを配設したことを特徴とする請求項４乃至１０のいずれか一項に記載の電子制御装置。
【請求項１３】  前記ソケット及び前記プラグは、互いに一方向にスライドできる面接触部を有することを特徴とする請求項１２に記載の電子制御装置。
【請求項１４】  前記基板は、前記底面開口の内周部おいて、熱伝導性かつ弾性の接着剤により前記枠状嵌合部に嵌め込まれることを特徴とする請求項１乃至１３のいずれか一項に記載の電子制御装置。
【請求項１５】  前記外部取付け部は、前記外部吸熱体を締付け固定する締付け部を有することを特徴とする請求項３乃至１４のいずれか一項に記載の電子制御装置。
【請求項１６】  前記締付け部は、前記取付け面と直角方向に前記取付け台と一体的に形成された突出部を少なくとも２つ有し、各突出部に螺合する締付け螺子を備えたことを特徴とする請求項１５に記載の電子制御装置。
【請求項１７】  前記基板は、前記外部吸熱体の表面に形成された係合凹部に対する係合凸部を有し、
前記締付け螺子による締付け力によって、前記係合凹部と前記係合凸部とが前記取付け面方向に圧接されることを特徴とする請求項３乃至１６のいずれか一項に記載の電子制御装置。
【請求項１８】  前記基板は、該基板底面から突出する螺子係合部を有し、
前記螺子係合部が、前記外部吸熱体に螺子止めされることにより、前記基板を前記外部吸熱体に密着させることを特徴とする請求項３乃至１６のいずれか一項に記載の電子制御装置。
【請求項１９】  前記基板は、熱伝導性の弾性層を挟んで前記外部吸熱体に螺子止めされることを特徴とする請求項３乃至１６のいずれか一項に記載の電子制御装置。
【請求項２０】  前記基板は、前記外部吸熱体の表面に形成された複数の凸部に接触して固定されることを特徴とする請求項３乃至１６のいずれか一項に記載の電子制御装置。
【請求項２１】  前記基板は、前記外部吸熱体に形成された溝内に配置された熱伝導性の弾性球体を挟んで、前記外部吸熱体に固定されることを特徴とする請求項３乃至１６のいずれか一項に記載の電子制御装置。
【請求項２２】  前記外部吸熱体が、自動車のトランスミッション筐体であることを特徴とする請求項３乃至２１のいずれか一項に記載の電子制御装置。
【請求項２３】  前記基板が、自動車のトランスミッション筐体内の潤滑油で冷却されることを特徴とする請求項３乃至２１のいずれか一項に記載の電子制御装置。
【手続補正２】
【補正対象書類名】明細書
【補正対象項目名】００１９
【補正方法】変更
【補正の内容】
【００１９】
【課題を解決するための手段】
以上の課題を解決するため、本発明では、外部放熱体に取り付けることができる電子制御装置において、電子部品を含む電子回路が形成された制御基板を内部に収納し、外部接続用のコネクタを備えた収納ケースと、前記制御基板を支持する複数の支持部が底面開口の周囲に立設された枠状嵌合部と外部取付け部とを一体的に設けた金属製の取付け台と、前記底面開口に嵌め込まれ、前記電子回路に電気接続される大電流制御素子を含む駆動回路が形成され、下面を露出させた基板とを備えた。
【手続補正３】
【補正対象書類名】明細書
【補正対象項目名】００２０
【補正方法】変更
【補正の内容】
【００２０】
そして、前記基板が前記底面開口に嵌め込まれたとき、前記取付け部と、前記枠状嵌合部と、前記基板の前記下面とが同一平面となる取付け面を形成することとし、前記取付け台が、前記外部取付け部によって外部吸熱体に取り付けられ、前記取付け面が該外部吸熱体表面に接触するようにした。
【手続補正４】
【補正対象書類名】明細書
【補正対象項目名】００２１
【補正方法】変更
【補正の内容】
【００２１】
前記制御基板は、耐熱樹脂基板であり、前記支持部によって前記基板との間に空間が形成され、前記電子部品は、前記制御基板の下面に接続されるようにされ、前記電子部品の熱を前記取付け台に放熱する放熱部が、前記空間内に設けられることとした。
【手続補正５】
【補正対象書類名】明細書
【補正対象項目名】００２４
【補正方法】変更
【補正の内容】
【００２４】
また、前記コネクタから延びる複数のリード導体の端部及び前記基板から延びる複数のリード導体の端部が、前記制御基板に配設されたリード導体孔を介して前記基板と反対側面に突き出し、前記制御基板に形成された前記電子回路に接続されることとした。
【手続補正６】
【補正対象書類名】明細書
【補正対象項目名】００２５
【補正方法】変更
【補正の内容】
【００２５】
前記駆動回路に接続されたソケット又はプラグが前記基板上面に配設され、前記制御基板下面に前記ソケット又はプラグと係合して前記電子回路に電気接続するプラグ又はソケットを配設し、或いは、前記ソケット及び前記プラグは、互いに一方向にスライドできる面接触部を有するものを用いた。
【手続補正７】
【補正対象書類名】明細書
【補正対象項目名】００２６
【補正方法】変更
【補正の内容】
【００２６】
前記基板は、前記底面開口の外周部おいて、熱伝導性かつ弾性の接着剤により前記枠状嵌合部に嵌め込まれるものであり、前記外部取付け部は、前記外部吸熱体を締付け固定する締付け部を備え、該締付け部は、前記取付け面と直角方向に前記取付け台と一体的に形成された突出部を少なくとも２つ有し、各突出部に螺合する締付け螺子を備えていることとした。
【手続補正８】
【補正対象書類名】明細書
【補正対象項目名】００２７
【補正方法】変更
【補正の内容】
【００２７】
また、前記基板は、前記外部吸熱体の表面に形成された係合凹部に対する係合凸部を有し、前記締付け螺子による締付け力によって、前記係合凹部と前記係合凸部とが前記取付け面方向に圧接され、或いは、該基板底面から突出する螺子係合部を有し、前記螺子係合部が、前記外部吸熱体に螺子止めされることにより、前記基板を前記外部吸熱体に密着させるようにした。
【手続補正９】
【補正対象書類名】明細書
【補正対象項目名】００２８
【補正方法】変更
【補正の内容】
【００２８】
さらに、前記基板は、高熱伝導性弾性層を挟んで前記外部吸熱体に螺子止めされるか、或いは、前記外部吸熱体の表面に形成された複数の凸部に接触して固定されることようにされ、前記基板は、前記外部吸熱体に形成された溝内に配置された熱伝導性の弾性球体を挟んで、前記外部吸熱体に固定されるようにした。
【手続補正１０】
【補正対象書類名】明細書
【補正対象項目名】００２９
【補正方法】変更
【補正の内容】
【００２９】
前記外部吸熱体が、自動車のトランスミッション筐体の壁体であり、前記基板が、自動車のトランスミッション筐体内の潤滑油で冷却されるようにした。
【手続補正１１】
【補正対象書類名】明細書
【補正対象項目名】００３４
【補正方法】変更
【補正の内容】
【００３４】
そこで、本実施形態の電子制御装置では、装置全体の小型化に対して最大の問題となっているヒートシンクを採用せずに、電子制御装置における大電流制御素子を含むパワー部品からの発熱は、温度が一定管理されているトランスミッションなどの筐体壁に直接放熱する構成とし、制御回路に含まれる電子部品の発熱に対しても、伝熱部材を介することによって該筐体壁に直接放熱を行えるようにした。
【手続補正１２】
【補正対象書類名】明細書
【補正対象項目名】００３５
【補正方法】変更
【補正の内容】
【００３５】
そして、電子制御装置のケースの高さ又は厚さを大幅に低減するため、制御用コネクタとパワー用コネクタが一側面で一体形成されたケース内において、制御回路を形成した制御基板と、外部接続された電気部品を駆動するパワー（駆動）回路を形成したパワー基板とが、各板面を並行にして対向配置されるように支持され、制御回路とパワー回路との電気接続、制御回路、パワー回路と制御用コネクタ及びパワー用コネクタとの電気接続が、リード導体を用いて直接行われるような構成とした。この構成により、電子制御装置のケースの高さ又は厚さを大幅に低減することができる。